(57)【要約】【課題】  再生光源の波長を順次探索変更する必要がない、高速に再生できる光情報記録再生装置を提供すること。【解決手段】  光情報記録媒体に情報を記録し、光情報記録媒体から情報を再生する光情報記録再生装置であって、信号光と参照光を生成するレーザ光源と、少なくとも２箇所以上の温度を計測する温度計測部と、前記温度計測部で計測した計測結果に応じて前記レーザ光源の波長を調整する波長調整部と、前記温度計測部が計測した計測結果より温度分布を演算する温度分布演算部と、記録動作と再生動作を制御する制御部と、を備え、前記制御部は、前記温度分布演算部が演算した温度分布に応じて、記録動作または再生動作の許可及び禁止を制御する。【選択図】図１
2016058124.tif 000002
【特許請求の範囲】
【請求項１】
光情報記録媒体に情報を記録し、光情報記録媒体から情報を再生する光情報記録再生装置であって、
信号光と参照光を生成するレーザ光源と、
少なくとも２箇所以上の温度を計測する温度計測部と、
前記温度計測部で計測した計測結果に応じて前記レーザ光源の波長を調整する波長調整部と、
前記温度計測部が計測した計測結果より温度分布を演算する温度分布演算部と、
記録動作と再生動作を制御する制御部と、を備え、
前記制御部は、前記温度分布演算部が演算した温度分布に応じて、記録動作または再生動作の許可及び禁止を制御する、光情報記録再生装置。
【請求項２】
請求項１記載の光情報記録再生装置であって、
前記温度計測部で計測した前記２箇所以上の温度差が第１の温度以下である事を判定する第１の判定部と、
前記温度計測部で計測した前記２箇所以上の平均温度が第２の温度以上で且つ第３の温度以下であることを判定する第２の判定部と、を備え、
前記制御部は、前記第１の判定部の判定結果と前記第２の判定部の判定結果に応じて、記録動作または再生動作の許可及び禁止を制御する、光情報記録再生装置。
【請求項３】
請求項１記載の光情報記録再生装置であって、
前記温度計測部は、前記光情報記録媒体の少なくとも２箇所以上の温度を計測する、光情報記録再生装置。
【請求項４】
請求項３記載の光情報記録再生装置であって、
前記温度計測部は、前記光情報記録媒体のカバー層表面の少なくとも２箇所以上の温度を計測する、光情報記録再生装置。
【請求項５】
請求項３記載の光情報記録再生装置であって、
前記温度計測部は、前記光情報記録媒体のカバー層表面及び裏面のそれぞれの少なくとも２箇所以上の温度を計測する、光情報記録再生装置。
【請求項６】
請求項３記載の光情報記録再生装置であって、
前記温度計測部は、
前記光情報記録媒体を回転させる媒体回転部と、
前記光情報記録媒体の半径方向に沿って配列した複数の温度検出器と、を備え、
前記媒体回転部により前記光情報記録媒体を回転させることで、前記光情報記録媒体全面の温度計測を行う、光情報記録再生装置。
【請求項７】
請求項３記載の光情報記録再生装置であって、
光情報記録媒体１を複数の領域に区切り、該区切られた領域内の温度の最大値と最小値の温度差が所定の温度差以下である領域の数に応じて、記制御部は、記録動作または再生動作の許可及び禁止を制御する、光情報記録再生装置。
【請求項８】
請求項５記載の光情報記録再生装置であって、
前記光情報記録媒体のカバー層表面及び裏面の表面温度の平均値を前記光情報記録媒体の表面温度とする、光情報記録再生装置。
【請求項９】
請求項１記載の光情報記録再生装置であって、
前記温度計測部は、前記信号光の光路と前記参照光の光路の温度を測定する、光情報記録再生装置。
【請求項１０】
請求項９記載の光情報記録再生装置であって、
前記温度計測部は、単位時間当たりの温度変化を計測し、
前記制御部は、前記温度計測部が計測した単位時間当たりの温度変化が所定に閾値を超えるか否かに応じて、記録動作または再生動作の許可及び禁止を制御する、光情報記録再生装置。
【請求項１１】
請求項１０記載の光情報記録再生装置であって、
前記温度計測部は、前記信号光の光路の温度と前記参照光の光路の温度の温度差を測定する、光情報記録再生装置。
【請求項１２】
光情報記録媒体に情報を記録し、光情報記録媒体から情報を再生する光情報記録再生装置のおける光情報記録再生方法であって、
信号光と参照光を生成する生成ステップと、
少なくとも２箇所以上の温度を計測する温度計測ステップと、
前記温度計測ステップで計測した計測結果に応じて前記信号光と前記参照光の波長を調整する波長調整ステップと、
前記温度計測ステップで計測した計測結果より温度分布を演算する温度分布演算ステップと、
記録動作と再生動作を制御する制御ステップと、を備え、
前記制御ステップでは、前記温度分布演算ステップで演算した温度分布に応じて、記録動作または再生動作の許可及び禁止を制御する、光情報記録再生方法。
【請求項１３】
請求項１２記載の光情報記録再生方法であって、
前記温度計測ステップで計測した前記２箇所以上の温度差が第１の温度以下である事を判定する第１の判定ステップと、
前記温度計測ステップで計測した前記２箇所以上の平均温度が第２の温度以上で且つ第３の温度以下であることを判定する第２の判定ステップと、を備え、
前記制御ステップでは、前記第１の判定ステップの判定結果と前記第２の判定ステップの判定結果に応じて、記録動作または再生動作の許可及び禁止を制御する、光情報記録再生方法。
【発明の詳細な説明】
【技術分野】
【０００１】
本発明は、光情報記録媒体に情報を記録し、光情報記録媒体から情報を再生する光情報記録再生装置、光情報記録再生方法に関する。
【背景技術】
【０００２】
本技術分野の背景技術として、例えば特開２００２-２１６３５９号公報がある。本公報には「参照コヒーレントビームを出射する波長可変コヒーレント光源１８と、再生信号光の２次元光検出器アレイ２上での位置情報に基づいて波長可変コヒーレント光源１８の波長を最適に制御する波長制御回路１７とを備える。」と記載されている。
【先行技術文献】
【特許文献】
【０００３】
【特許文献１】特開２００２-２１６３５９号公報
【発明の概要】
【発明が解決しようとする課題】
【０００４】
上記特許文献１は、記録済の光情報記録媒体に再生光源から光ビームを照射して、再生回折光量が最適値となる波長を探し出すために、再生光源の波長を順次探索変更する必要がある。特に半導体レーザと外部共振器を制御することにより、再生光源の波長の調整を開始してから光源が安定化するまでに時間がかかる問題がある。
【０００５】
また、前記記録媒体へ記録した時の記録光源波長、光情報記録媒体の温度、媒体膨張収縮状態が不明の状態では、再生光源の波長調整値が不明であり、再生波長探索動作の時間をさらに要してしまう問題がある。
【０００６】
そこで、本発明の目的は、再生中の再生光源の波長調整回数を少なくでき、高速に再生できる光情報記録再生装置、光情報記録再生方法を提供することを目的とする。
【課題を解決するための手段】
【０００７】
上記課題は、例えば、温度分布に応じて、記録動作または再生動作の許可及び禁止を制御することにより解決される。
【発明の効果】
【０００８】
再生中の再生光源の波長調整回数を少なくでき、高速に再生できる光情報記録再生装置、光情報記録再生方法を提供することができる。
【図面の簡単な説明】
【０００９】
【図１】本発明の実施の形態１を示す図
【図２】本発明の実施の形態２を示す図
【図３】本発明の実施の形態３を示す図
【図４】光情報記録媒体と温度センサの配置関係を示す図
【図５】光情報記録媒体の温度分布計測結果を示す図
【図６】光情報記録媒体の温度分布により記録再生動作の許可を判定するフロー図
【図７】信号光路部と参照光路の温度変化、温度差により記録再生動作の許可を判定するフロー図
【図８】光情報記録再生装置の全体構成図を示す図
【発明を実施するための形態】
【００１０】
以下、本発明の実施例について図面を用いて説明する。
【実施例１】
【００１１】
本発明の実施形態を添付図面にしたがって説明する。図８はホログラフィックを利用してデジタル情報を記録および／または再生する光情報記録媒体の記録再生装置を示すブロック図である。光情報記録再生装置１０は、入出力制御回路９０を介して外部制御装置９１と接続されている。情報を記録する場合は、光情報記録再生装置１０に外部制御装置９１から情報信号を入出力制御回路９０へ入力する。情報信号を再生する場合は、光情報記録再生装置１０は、再生情報信号を入出力制御回路９０により外部制御装置９１に出力する。光情報記録再生装置１０は、ピックアップ１１、再生用参照光光学系１２、キュア光学系１３、ディスク回転角度検出用光学系１４及び、回転モータ５０等を備え、光情報記録媒体１は回転モータ５０によって回転可能な構成となっている。
【００１２】
ピックアップ１１は、参照光と信号光を光情報記録媒体１に照射し、ホログラフィックを利用してデジタル情報を光情報記録媒体１に記録する。記録する情報信号はコントローラ８９によって信号生成回路８６を介してピックアップ１１内の空間光変調器に送られ、信号光は空間光変調器によって変調される。光情報記録媒体１に記録した情報を再生する場合は、ピックアップ１１から出射された参照光を記録時とは逆の向きに光情報記録媒体へ入射する光を再生用参照光光学系１２にて生成する。再生用参照光によって再生される再生光をピックアップ１１内の光検出器によって検出し、信号処理回路８５によって信号を再生する。記録時に光情報記録媒体１へ照射する参照光と信号光の照射時間は、ピックアップ１１内のレーザ光を遮断するシャッタの開閉時間をコントローラ８９によりシャッタ制御回路８７を介して制御することで調整する。キュア光学系１３は、光情報記録媒体１のプリキュアおよびポストキュアに用いる光ビームを生成する役割を果たす。プリキュアとは、光情報記録媒体１内の所望の位置に情報を記録する際、所望位置へ参照光と信号光を照射する前に、光情報記録媒体１の記録箇所へ予め所定の光を照射する前工程である。ポストキュアとは、光情報記録媒体１の所望位置に情報を記録した後、該所望の位置への追記不可能とするために所定の光を照射する後工程である。ディスク回転角度検出用光学系１４は、光情報記録媒体１の回転角度を検出するために用いられる。光情報記録媒体１を所定の回転角度に制御する時は、ディスク回転角度検出用光学系１４によって回転角度に応じた角度信号を検出し、該検出された角度信号を用いてコントローラ８９によってディスク回転モータ制御回路８８を介して光情報記録媒体１の回転角度を制御する。
【００１３】
光源波長制御回路８２は、コントローラ８９からの光源波長設定情報として所定の波長値（例えば、405nm±3nm)を設定することでピックアップ１１内のレーザ波長を調整してレーザー発光を行う。光情報記録媒体１の半径方向に位置を移動できる機構を備えており、アクセス制御回路８１を介して光情報記録媒体１を半径方向へ位置決め制御を行う。ホログラフィックの角度多重を利用した記録再生技術は、再生に許容される参照光の角度ずれは極めて小さくなる傾向がある。そこで、ピックアップ１１内に、再生時に再生光量が最大となる参照光角を検出する光学検出機構を設ける。再生時の参照光位置決めに用いるサーボ信号生成回路８３にてサーボ制御用の信号を生成し、サーボ制御回路８４を介して、参照光の角度を制御するサーボ機構を、光情報記録再生装置１０内に備えている。
【００１４】
次に多点温度測定器９２により光情報記録媒体１の複数個所の表面温度を計測し記録媒体全域の温度（例えば表面温度)情報を記録再生動作判定部９３へ入力する。ここで、光情報記録媒体の全域の温度は、表面温度に限定されることはなく記録材料の温度または裏面温度または前記温度を元に温度演算した推定温度であってもよい。記録再生動作判定部９３は光情報記録媒体１の表面温度の均一特性を判定し光情報記録媒体１の各部位の温度差が所定温度以下である場合に限り、記録・再生動作を許可する判定信号をコントローラ８９へ入力し、コントローラ８９は、光情報記録媒体１の温度状態によって光情報記録再生装置１０の記録・再生動作をコントロールする。
【００１５】
次に、図１は光情報記録再生装置１０における光ピックアップ１１の光学系構成と光情報記録媒体１の温度検出構成の一例を示したものである。まずホログラムの記録手順について説明する。光源１０１を出射した光ビームは,コリメートレンズ１０２を透過し、シャッタ１０３に入射する。シャッタ１０３が開いている時は、光ビームはシャッタ１０３を通過した後、２分の１波長板１０４によってP偏光とS偏光の光量比が所望の比になるように偏光方向が調整された後、ＰＢＳ（Ｐｏｌａｒｉｚａｔｉｏｎ  Ｂｅａｍ  Ｓｐｌｉｔｔｅｒ）プリズム１０５に入射する。ＰＢＳプリズム１０５を透過した光ビームは、信号光１０６として働き、ビームエキスパンダ１０８によって光ビーム径が拡大された後、位相マスク１０９、リレーレンズ１１０、ＰＢＳプリズム１１１を透過して空間光変調器１１２に入射する。記録情報は入力端子１４９より入力され、記録信号処理部１４７にてホログラムの記録信号を生成し信号Ａとして空間光変調器１１２へ情報を送出する。空間光変調器１１２によって情報が付加された信号光は、ＰＢＳプリズム１１１を介してリレーレンズ１１３ならびにポリトピックフィルタ１１４を通過する。ポリトピックフィルタ１１４は、記録時に不要な高周波の光をフィルタする役目を担う。その後、信号光は対物レンズ１１５によって光情報記録媒体１へ集光する。
【００１６】
一方、ＰＢＳプリズム１０５で分岐した光ビームは、参照光１０７として偏光変換素子１１６によって記録時または再生時に応じて所定の偏光方向に設定した後、ミラー１１７ならびにミラー１１８を経由してガルバノミラー１１９に入射する。ガルバノミラー１１９は、ミラーの角度を調整することで参照光の光軸角度を調整し、レンズ１２１とスキャナレンズ１２２を通過した後、光情報記録媒体１に入射する。信号光と参照光とを光情報記録媒体１内にオーバーラップ入射させることで、光の干渉縞パターン(ホログラム）１２５を形成し、このパターンを、光情報記録媒体１を露光することで情報（ページデータ）を記録する。また、ガルバノミラー１１９によって光情報記録媒体１に入射する参照光の入射角度を変化させることで、光情報記録媒体の同一箇所に複数のページデータを多重記録する。この記録単位をブックと呼ぶ。光情報記録媒体１は、スピンドルモータ１２７により回転し、半径移動ステージ１２８により光情報記録媒体１を半径方向へ移動を行い、対物レンズ１１５に対して光情報記録媒体１の記録位置を変更することで光情報記録媒体１の全面に前記ブックを敷き詰めて記録する。
【００１７】
次に、光情報記録媒体１を移動してホログラム記録位置を変更する動作について説明する。光情報記録媒体１の移動は、記録アドレス値に対応つけて、光情報記録媒体１の回転角（θ）と半径位置（ｒ）を移動することで記録座標位置を変更する。入力端子１３８から記録アドレス情報を入力すると、媒体位置指定部１３５にて光情報記録媒体１の回転角（θ）と半径移動位置（ｒ）に変換され、媒体移動制御部１３４に記録座標位置伝達される。媒体移動制御部１３４は、現在の回転角位置（θ0）及び現在の半径位置（ｒ0）から、目標回転角移動量（Δθ）及び目標半径移動量（Δｒ）を算出し、その算出結果をr-θ駆動部１３１へ伝達する。r-θ駆動部１３１は、スピンドルモータ１２７を回転し、半径移動ステージ１２８をスレッド駆動することで、光情報記録媒体１の記録位置決めを行う。
【００１８】
次に、光情報記録媒体１の温度と記録、再生に用いるレーザ光源１０１の波長の関係性について説明する。記録時の体積膨張収縮状態に記録光源のλr波長で記録したホログラムを、再生時に記録時と異なる温度で再生しようとすると、すなわち光情報記録媒体の体積膨張収縮状態が記録時と異なる状態で再生しようとすると、ホログラムの波長選択性のために、再生回折強度が低下すると共にホログラムの再生像(二次元データ)が歪んだ状態で再生されてしまいデータの再生ができない。ホログラムの記録と再生に重要なことは、光情報記録媒体１の体積膨張収縮状態に合わせた所定のレーザ光源波長で記録し、光情報記録媒体１の体積膨張収縮状態に合わせた所定のレーザ光源波長で再生することである。
【００１９】
しかしながら、レーザ光源１０１の波長調整範囲には限度があり、例えば４０５ｎｍ±３ｎｍと調整範囲は狭い。また、レーザ光源１０１の波長を変更するためには、図示しないレーザ発振源と外部共振器との機械位置関係を調整して所定のレーザ発振波長に調整動作を行う必要がある。この動作は機械的動作要因ならびにレーザ安定性を鑑みると、調整時間に例えば７秒程度必要である。ホログラムを高速に再生するためには、上記のレーザ光源１０１の波長変更動作契機を減らすことが重要である。光情報記録媒体１の温度に対する体積膨張収縮状態とレーザ光源１０１の波長との関係が、例えば、０．３ｎｍ/℃である場合であって、レーザ光源１０１の波長調整範囲が例えば４０５ｎｍ±３ｎｍの場合、記録に対する再生可能な媒体温度については、記録時の温度±１０℃までは、レーザ光源１０１の波長調整を行うことで再生が可能である。
【００２０】
次に重要なのは、記録時と再生時の媒体の温度管理(温度差)である。光情報記録媒体１は可換媒体であり光情報記録再生装置１０の外部に図示しない光情報記録媒体１がストックされており、光情報記録媒体１を光情報記録再生装置１０へ装着する。光情報記録再生装置１０の筐体内部は、制御用信号処理用の電子回路、機構駆動用のアクチュエータの熱源があるため、温度は光情報記録媒体１がストックされている場所に比較して高温である。
【００２１】
例えば、光情報記録再生装置１０内部の温度は個々温度バラツキがあるが、例えば、４０℃近傍に図示しない空冷装置により温度調整がなされている。したがって、光情報記録媒体１がストックされている場所の温度が、例えばサーバールームの温度が２５℃であった場合は、光情報記録再生装置１０内部の温度４０℃との差は１５℃である。前記レーザ光源１０１の波長調整範囲と光情報記録再生装置１０内部の温度が４０℃ということから最低記録再生動作温度は３０℃である。そのため、温度が２５℃の光情報記録媒体１を光情報記録再生装置１０に装着しても、即座に記録再生動作を実行してはならない。
【００２２】
そこで、図１に光情報記録媒体１に記録再生動作を行う前に、光情報記録媒体１の温度を計測する構成とした。なお、光情報記録媒体１は、記録材料を透明のカバー層により挟み込んだ大変簡素な記録媒体構造である。前記カバー層はガスバリアー性の高いガラス材料、或いは樹脂材料を用いているため、光情報記録媒体１内部の記録材料の温度を直接観測することはできない。カバー層表面の放射温度をもって光情報記録媒体１の温度を推定する。そのための温度センサーとして、小型の放射温度センサモジュールを光情報記録媒体の半径方向に複数ライン状に配列した放射温度計モジュール１４４を構成し、光情報記録媒体１を回転させることで、光情報記録媒体１全表面温度情報を得ることができる。
【００２３】
図４に光情報記録媒体１の半径方向へライン状に配置した放射温度センサモジュール１４４と光情報記録媒体１との配置関係を示す。放射温度計モジュール１４４で取得した温度センサ信号はマルチ温度センサ処理部１４３により温度情報に変換して温度集計部１３３へ入力する。光情報記録媒体１を回転するには、アドレス入力１３８より光情報記録媒体１が１回転するアドレス値を順次入力することでスピンドルモータ１２７を回転駆動させる。光情報記録媒体１の１回転分の放射温度計モジュール１４４で取得した温度情報は、温度集計部１３３に蓄積されて、温度分布演算部１３２へ光情報記録媒体１の全域表面温度情報が入力される。
【００２４】
図５に光情報記録媒体１の温度分布イメージを示す。放射温度計モジュール１４４により媒体の温度計測を光情報記録媒体１回転分取得することで、温度分布の状態をモニタすることができる。記録または再生時の光情報記録媒体１の温度は均一であることが理想である。また、その温度は所定の温度を中心に所定温度範囲、例えば４０℃±１０℃であることが望ましい。また前記温度範囲内であっても光情報記録媒体１の温度にムラがある状態で記録をしたのでは再生時のレーザ光源１０１の波長調整契機が頻繁に発生してしまい、再生速度が低下する。ここでは動作の説明の上で例えば温度均一性を温度分布が１℃以下として以下動作の説明をする（光情報記録媒体１の温度均一性の判定温度は１℃に限定することは無い。）。ここで、温度分布が１℃以下とは、光情報記録媒体１を複数の領域に区切り、区切られた領域内の温度の最大値と最小値の温度差が１℃以下であることをいう。図５を例にとると、領域１６０，１６０，１６２内のそれぞれの領域内における温度の最大値と最小値の温度差が１℃以下であることをいう。区切られた複数の領域毎に温度分布演算部１３２により計測した温度の最大値と最小値の温度差が１℃以下である事、さらにはその温度差が１℃以下である光情報記録媒体上の領域が、例えば１０箇所以下であること、を温度分布演算部１３２にて演算、認識処理を実施する。前記演算認識処理結果は、記録再生動作判定部１４１へ入力される。
【００２５】
一方、温度集計部１３３の温度情報は平均温度演算部１３３へ入力され、光情報記録媒体１の全面の平均温度を演算した後、記録再生動作判定部１４１へ入力される。記録再生判定部１４１は、光情報記録媒体１の温度分布が１℃以下であることを判定し、温度均一性が確保されている事（光情報記録媒体１の平均温度が４０℃±１０℃以下に入った）を判定する。
【００２６】
光情報記録媒体１の温度均一性が認識されると、記録再生制御部１４０へ記録または再生動作の許可信号を入力する。この記録または再生動作が許可されるまでは、たとえ記録または再生リクエストが入力された場合においても、記録または再生動作を開始することはできないようにコントロールする。
【００２７】
記録再生制御部１４０は、記録信号処理部１４７と再生信号処理部１４６にそれぞれ記録許可信号と再生許可信号を入力する。また、レーザ光源１０１の波長調整は、光情報記録媒体１の平均温度に対応した波長値を設定する。例えば、光情報記録媒体の温度が４０℃±１０℃、これに対応したレーザ光源１０１の波長は４０５ｎｍ±３ｎｍである。この場合、光情報記録媒体１の平均温度が４０℃であれば、レーザ光源１０１の波長調整値は４０５ｎｍ、また光情報記録媒体１の平均温度が４５℃であれば、レーザ光源１０１の波長調整値は４０５ｎｍ＋（４５℃−４０℃)×０．３ｎｍ＝４０６．５ｎｍに設定する。前記レーザ光源１０１の波長の設定値演算処理は温度波長設定演算部１４５にて行い、波長可変調整部１４２へレーザ光源１０１の波長設定値を入力することで、レーザ光源１０１の波長を調整する。
【００２８】
次に上記の動作を図６のフロー図を用いて説明する。光情報記録媒体の温度を観測して記録動作ならびに再生動作の許可、禁止を行うフロー処理である。Ｓｔｅｐ１の記録・再生動作判定処理１の処理は、光情報記録媒体１が光情報記録再生装置へ装着された契機、あるいは光情報記録再生装置がコールドスタートで電源が投入された時、あるいは光情報記録再生装置には電源が投入されていたが所定時間の間、記録動作または再生動作していなかった時、あるいは光情報記録再生装置へ記録・再生動作判定処理１の処理を実行するコマンドが入力された時などに処理される。
【００２９】
ＳＴＥＰ２のＤＩＳＣ半径方向配列温度モジュール取得は、例えば図４の複数配列したライン状の放射温度センサ１４４からＤＩＳＣ表面の温度を取得し、ＳＴＥＰ３のＤＩＳＣが３６°回転したかという判断ステップとＳＴＥＰ４のＤＩＳＣΔθ回転させるステップにより光情報記録媒体を１回転することでＤＩＳＣ全域の表面温度を取得することができる。
【００３０】
ＳＴＥＰ５は前記のＤＩＳＣ温度情報からＤＩＳＣ全面の温度分布演算、例えば温度均一率、温度差(max-min) 、平均温度を演算する。温度均一率とは、例えば所定温度差毎に温度等高線で示し、その温度差、温度分布より温度均一性を割り出す。
【００３１】
ＳＴＥＰ６はＤＩＳＣ温度均一判定を行う。例えば、光情報記録媒体１を複数の領域に区切り、区切られた領域内の温度の最大値と最小値の温度差が１℃以下である領域が１０箇所以下となる要件を満たしているか否かを、温度均一率等を用いて判定する。この判定要件は前記に限定されない。当該ステップで光情報記録媒体１の温度が均一と判断されないと、記録・再生動作は実行されない。
【００３２】
ＳＴＥＰ７は、ＤＩＳＣ全域の平均温度が所定温度範囲に入っているか否かを判定するものであり、Ｔ３℃以上Ｔ２℃以下（例えば３０℃以上５０℃以下）であることを判定する。当該ステップで光情報記録媒体１の温度が均一と判断されないと、記録・再生動作は実行されない。
【００３３】
ＳＴＥＰ８は、温度・波長設定値演算を行い、レーザ光源に波長調整値を設定する。
【００３４】
ＳＴＥＰ９は、レーザ光源に波長調整後の安定化待ちを行い、ＳＴＥＰ１０にて記録・再生動作許可の判定することで、記録または再生動作を実施することができる。
【００３５】
以上実施例１では、光情報記録媒体１の温度が均一となるまで記録を行わず、レーザ光源の波長調整範囲内にて光情報記録媒体１へ記録ならびに再生を行うことができる為、再生中の再生光源の波長調整回数を少なくでき、高速に再生できる。
【実施例２】
【００３６】
次に第二の実施例について図２を用いて説明する。尚、実施例１と同一機能、処理に関しての説明は省略する。光情報記録媒体１の温度は、光情報記録再生装置１０内部の電子回路の熱、機構駆動用アクチュエータの熱が同筐体構造で密閉されているため、筐体内に風路を形成して図示しないファンなどによる強制空冷を備える。そのため光情報記録媒体１周辺の温度は高精度に均一化とはならず、光情報記録媒体１に温度分布を持つことになる。光情報記録媒体１は、例えば半径が６５ｍｍの円盤状のＤＩＳＣであって、光情報記録媒体の表面側と裏面側の温度が異なるケースもある。そこで光情報記録媒体１の表面側と裏面側のカバー層温度を観測するために、小型の放射温度計モジュールを光情報記録媒体の半径方向にライン状に配列した複数の放射温度計モジュール１４４を光情報記録媒体１の表面側に、放射温度計モジュール１３９を光情報記録媒体１の裏面側に配置して、光情報記録媒体１の表面と裏面の平均値を光情報記録媒体１の温度として算出し、レーザ光源１０１の波長調整値を推定する構成とした。以降は実施例１と同一の機能、動作により記録または再生動作許可の判定を行う。なお、光情報記録媒体１の表面側と裏面側のカバー層温度を観測し、表面側と裏面側の平均温度を光情報記録媒体１の表面温度として用いてもよい。
【００３７】
以上実施例２では、光情報記録媒体１の表面と裏面全域の温度を観測し、その温度観測結果を基に温度均一性、平均温度を算出することで、光情報記録媒体１の温度計測の精度を向上することができる。
【実施例３】
【００３８】
次に第三の実施例について図３を用いて説明する。尚、実施例１と同一機能、処理に関しての説明は省略する。信号光と参照光を光干渉させてホログラフィックを形成しそのホログラフィックに情報を変調させることで光情報記録媒体１への情報の記録、再生を行う。そのため、信号光と参照光の干渉は夫々の信号光路中と参照光路中の単位時間当たりの温度変化、温度分布が光干渉状態に外乱として働き、記録性能を劣化させてしまう。これは記録中に、光路中の単位時間当たりの温度変化が発生すると、信号光と参照光の光路長が変動する要因となり、歪んだホログラフィックパターンを記録してしまう。理想は信号光路と参照光路の単位時間当たりの温度変化が無い事である。この単位時間当たりの温度変化を時間温度変動と呼ぶ。
【００３９】
時間温度変動は、ホログラフィックパターンを記録する露光時間に依存し、露光時間が極限に短い時間であるなら時間温度変動は無視できる。しかしながら、ホログラフィックパターンを記録する露光時間は有限値であり、例えば１０ｍｓｅｃから０．３ｍｓｅｃの値であるため時間温度変動を無視することはできない。
【００４０】
そこで、信号光路中に温度センサ１２９、１２６、参照光路中に温度センサ１３６、１３９を備えることで、信号光路と参照光路の単位時間あたりの温度変化およびならびに温度差の取得情報を指標として、記録動作の許可判定を行う構成とした。信号光路中ならびに参照光路中の夫々温度検出信号はマルチ温度センサ１４３へ入力し、温度情報に変換されて温度集計部１３３へ入力される。温度集計部１３３は、信号光路中ならびに参照光路中の各々の温度情報を時間毎に収集し、蓄積する。この温度情報は温度分布演算部１３２へ入力し、上記各々センサ毎の温度微分値を演算することで、信号光路中ならびに参照光路中の時間温度変動情報を得る。また時間温度変動情報は記録再生動作判定部へ入力され、単位時間当たりの温度変化(暑い空気層が、放熱用風路を通過し、光路を横断している時などに発生)が所定の閾値を超えている場合は、記録動作をさせないように、記録・再生制御部１４０へ制御信号を入力する。記録再生制御部１４０は、記録信号処理部へ、記録動作を許可しない指令信号ならびにコントローラ８９へ記録動作の禁止信号を入力する。
【００４１】
図７に実施例３の動作フローを示す。Ｓｔｅｐ１２は図６のＳｔｅｐ１と同様である為説明を省略する。
【００４２】
Ｓｔｅｐ１３では、温度センサ１２６、１２９、１３６、１３９から信号光、参照光の光路の温度を取得する。
【００４３】
Ｓｔｅｐ１４では、信号光の光路と参照光の光路の温度差を求めるべく、温度センサ１２６と１３６で取得した温度差、温度センサ１２９と１３９で取得した温度差を演算する。そして、この演算した結果が所定の値Ｔ１以下が判断する。所定の値Ｔ１より大きい場合、記録は実行されない。
【００４４】
Ｓｔｅｐ１５では、温度センサ１２６、１２９、１３６、１３９の時間温度変動情報を取得すべく、各温度センサの温度微分値を演算する。そして、演算した温度微分値が閾値よりも小さいか判別する。演算した温度微分値が閾値より大きい温度センサがある場合、記録は実行されない。続いてＳＴＥＰ１６移る。
【００４５】
以上実施例３では、信号光路ならびに参照光路の単位時間当たりの温度変化や信号光路、参照光路の温度差を指標に、ホログラフィックの記録動作の許可、禁止を決定し、記録要求が入力されても記録保護のために記録動作をさせないように動作することができ、信頼性の高いホログラフィックパターンを光情報記録媒体１へ記録することができる。
【符号の説明】
【００４６】
１・・・光情報記録媒体、１１・・・光ピックアップ、１２・・・再生用参照光光学系、
１０１・・・光源、１０２・・・コリメートレンズ、１０３・・・シャッタ、
１０４・・・1／2波長板、１０５・・・偏光ビームスプリッタ、１０６・・・信号光、
１０７・・・参照光、１０８・・・ビームエキスパンダ、１０９・・・位相マスク、
１１０・・・リレーレンズ、１１１・・・偏光ビームスプリッタ、１１２・・・空間光変調器、
１１３・・・リレーレンズ、１１４・・・ポリトピックフィルタ、１１５・・・対物レンズ、
１１６・・・偏光方向変換素子、１１７・・・ミラー、１１８・・・ミラー、
１１９・・・ガルバノミラー、１２１・・・レンズ、１２２・・・レンズ、
１２３・・・アクチュエータ、１２４・・・ミラー、１２５・・・ホログラム、
１２６・・・温度センサ、１２９・・・温度センサ、１３６・・・温度センサ、
１２７・・・スピンドルモータ、１２８・・・半径移動ステージ、
１３１・・・r-θ駆動部、１３２・・・温度分布演算部、１３３・・・温度集計部、
１３４・・・媒体移動制御部、１３５・・・媒体位置指定部、１３８・・・入力端子(アドレス）、
１３９・・・温度センサ、１４０・・・記録再生制御部、１４１・・・記録再生動作判定部、
１４２・・・波長可変調整部、１４３・・・マルチ温度センサ処理部、
１４４・・・放射温度計モジュール１４４、１４５・・・温度波長設定演算部、
１４６・・・再生信号処理部、１４７・・・記録信号処理部、
【図１】
2016058124.tif 000003
【図２】
2016058124.tif 000004
【図３】
2016058124.tif 000005
【図４】
2016058124.tif 000006
【図５】
2016058124.tif 000007
【図６】
2016058124.tif 000008
【図７】
2016058124.tif 000009
【図８】
2016058124.tif 000010